【手続補正書】
【提出日】令和1年12月27日(2019.12.27)
【手続補正１】
【補正対象書類名】特許請求の範囲
【補正対象項目名】全文
【補正方法】変更
【補正の内容】
【特許請求の範囲】
【請求項１】
ハンドオーバ元基地局であって、
動作時に、ユーザ機器パケット複製ステータスを生成する処理回路であって、前記ユーザ機器パケット複製ステータスが、前記ハンドオーバ元基地局および少なくとも１基のさらなる基地局を対象にユーザ機器によって実行されているアップリンクパケット複製のステータスに関する情報を含み、アップリンクパケット複製の前記ステータスに関する前記情報が、アップリンク無線ベアラごとであり、前記ユーザ機器と前記ハンドオーバ元基地局との間に１つまたは複数のアップリンク無線ベアラが確立されている、前記処理回路と、
動作時に、前記ユーザ機器パケット複製ステータスを、前記ユーザ機器に対して実行される前記ハンドオーバ元基地局からのハンドオーバのターゲットであるハンドオーバ先基地局に送信する送信機と、
を備えるハンドオーバ元基地局。
【請求項２】
前記ユーザ機器パケット複製ステータスが、ハンドオーバ手順中に前記送信機によって送信され、オプションとして、
前記ユーザ機器パケット複製ステータスが、前記ユーザ機器に対して実行される前記ハンドオーバを開始するために前記ハンドオーバ先基地局に送信されるハンドオーバ要求メッセージの中で、前記送信機によって送信され、
オプションとして、前記ハンドオーバ元基地局が受信機をさらに備えており、前記受信機が、動作時に、前記送信されたユーザ機器パケット複製ステータスに対する確認応答を、オプションとしてハンドオーバ要求ＡＣＫメッセージの中で、前記ハンドオーバ先基地局から受信し、
オプションとして、前記送信機が、動作時に、前記ハンドオーバ先基地局の前記ユーザ機器パケット複製ステータスを受信確認するための確認応答を、オプションとしてハンドオーバコマンドメッセージの中で、前記ユーザ機器に送信し、前記確認応答が、前記ユーザ機器によって実行されるアップリンクパケット複製の前記ステータスに関する前記情報を含む、
請求項１に記載のハンドオーバ元基地局。
【請求項３】
前記ユーザ機器が、前記ハンドオーバ元基地局と前記少なくとも１基のさらなる基地局とに同じデータパケットを送信することによって、アップリンクパケット複製を実行し、
前記ハンドオーバ元基地局が、前記ユーザ機器から受信されるデータパケットと、前記少なくとも１基のさらなる基地局から受信されるデータパケットの両方を使用して、前記ハンドオーバ元基地局の上位層に転送される１つのデータパケットを生成することによって、前記ユーザ機器によって実行される前記アップリンクパケット複製の受信側として関与する、
請求項１または請求項２に記載のハンドオーバ元基地局。
【請求項４】
前記ハンドオーバ元基地局が、ハンドオーバ元マスタ基地局またはハンドオーバ元セカンダリ基地局のいずれかである、請求項１から請求項３のいずれか１項に記載のハンドオーバ元基地局。
【請求項５】
受信機をさらに備えており、前記受信機が、動作時に、更新されたユーザ機器パケット複製ステータスを前記ハンドオーバ先基地局から受信し、前記ハンドオーバ先基地局が、前記更新されたユーザ機器パケット複製ステータスを生成するために、少なくとも１つのアップリンク無線ベアラについて、前記受信されたユーザ機器パケット複製ステータスを修正しており、オプションとして、前記更新されたユーザ機器パケット複製ステータスが、ハンドオーバ要求ＡＣＫメッセージの中で受信され、
前記送信機が、動作時に、前記更新されたユーザ機器パケット複製ステータスを前記ユーザ機器に送信し、オプションとして、前記更新されたユーザ機器パケット複製ステータスが、ハンドオーバコマンドメッセージの中で前記ユーザ機器に送信され、
オプションとして、前記ユーザ機器のアップリンクパケット複製の前記ステータスに関する前記情報、または前記更新されたユーザ機器パケット複製ステータスが、アップリンク無線ベアラあたり１個のビットを含むビットマップの形であり、
オプションとして、確立されている無線ベアラそれぞれのステータスまたは更新されたステータスが報告され、
オプションとして、前記確立されている無線ベアラのサブセットのステータスまたは更新されたステータスが報告され、
オプションとして、アップリンクパケット複製の前記ステータスまたは前記更新されたステータスが、アップリンク無線ベアラごとに有効にされる、または無効にされており、
オプションとして、アップリンク無線ベアラが、シグナリングアップリンク無線ベアラまたはデータアップリンク無線ベアラであり、
オプションとして、前記ビットマップが、１つまたは複数のオクテットの固定サイズを有する、
請求項１から請求項４のいずれか１項に記載のハンドオーバ元基地局。
【請求項６】
前記送信機が、動作時に、前記ユーザ機器と前記ハンドオーバ先基地局との間の無線リンクを対象に前記ユーザ機器によって実行された測定の結果を前記ハンドオーバ先基地局に送信し、オプションとして、前記測定の結果が、ハンドオーバ要求メッセージと一緒に送信され、
オプションとして、前記測定の結果が、前記ユーザ機器から受信される、
請求項５に記載のハンドオーバ元基地局。
【請求項７】
ハンドオーバ先基地局であって、
動作時に、ユーザ機器パケット複製ステータスを受信する受信機であって、前記ユーザ機器パケット複製ステータスが、ハンドオーバ元基地局および少なくとも１基のさらなる基地局を対象にユーザ機器によって実行されているアップリンクパケット複製のステータスに関する情報を含み、前記ハンドオーバ先基地局が、前記ユーザ機器に対して実行される前記ハンドオーバ元基地局からのハンドオーバのターゲットであり、アップリンクパケット複製の前記ステータスに関する前記情報が、アップリンク無線ベアラごとであり、前記ユーザ機器と前記ハンドオーバ元基地局との間に１つまたは複数のアップリンク無線ベアラが確立されている、前記受信機と、
動作時に、前記受信されたユーザ機器パケット複製ステータスを処理して、前記ハンドオーバの後に前記ユーザ機器と前記ハンドオーバ先基地局との間に確立されるアップリンク無線ベアラのパケット複製を設定する処理回路と、
を備える、ハンドオーバ先基地局。
【請求項８】
前記ユーザ機器パケット複製ステータスが、ハンドオーバ手順中に前記受信機によって受信され、オプションとして、
前記ユーザ機器パケット複製ステータスが、前記ユーザ機器に対して実行される前記ハンドオーバを開始するための前記ハンドオーバ元基地局からのハンドオーバ要求メッセージの中で、前記受信機によって受信され、
オプションとして、前記ハンドオーバ先基地局が送信機をさらに備えており、前記送信機が、動作時に、前記受信されたユーザ機器パケット複製ステータスに対する確認応答を、オプションとしてハンドオーバ要求ＡＣＫメッセージの中で、前記ハンドオーバ元基地局に送信する、
請求項７に記載のハンドオーバ先基地局。
【請求項９】
前記処理回路が、動作時に、前記受信されたユーザ機器パケット複製ステータスを修正するかどうかを、アップリンク無線ベアラごとに決定し、オプションとして、前記決定が、前記ハンドオーバ元基地局から、または前記ユーザ機器から受信される、前記ユーザ機器と前記ハンドオーバ先基地局との間の無線リンクを対象に前記ユーザ機器によって実行された測定の結果、に基づき、
前記受信されたユーザ機器パケット複製ステータスを少なくとも１つのアップリンク無線ベアラについて修正することを決定すると、
前記処理回路が、動作時に、更新されたユーザ機器パケット複製ステータスを生成し、かつ、
前記送信機が、動作時に、前記更新されたユーザ機器パケット複製ステータスを、オプションとしてハンドオーバ要求ＡＣＫメッセージと一緒に、前記ハンドオーバ元基地局に送信し、
オプションとして、前記処理回路が、動作時に、前記更新されたユーザ機器パケット複製ステータスを処理して、前記ハンドオーバの後に前記ユーザ機器と前記ハンドオーバ先基地局との間に確立されるアップリンク無線ベアラのパケット複製を設定し、
オプションとして、前記測定の結果が、ハンドオーバ要求メッセージと一緒に前記ハンドオーバ元基地局から受信され、オプションとして、前記測定の結果が、基準信号受信品質（ＲＳＲＱ）、または基準信号受信電力（ＲＳＲＰ）、または信号対雑音比（ＳＮＲ）に関する測定値を含む、
請求項８に記載のハンドオーバ先基地局。
【請求項１０】
ユーザ機器であって、
動作時に、ユーザ機器パケット複製ステータスを生成する処理回路であって、前記ユーザ機器パケット複製ステータスが、ハンドオーバ先基地局および少なくとも１基のさらなる基地局を対象に前記ユーザ機器によって実行されるアップリンクパケット複製のステータスに関する情報、を含み、前記ハンドオーバ先基地局が、前記ユーザ機器に対して実行されるハンドオーバ元基地局からのハンドオーバのターゲットであり、アップリンクパケット複製の前記ステータスに関する前記情報が、アップリンク無線ベアラごとであり、前記ハンドオーバの後に前記ユーザ機器と前記ハンドオーバ先基地局との間に１つまたは複数のアップリンク無線ベアラが確立される、前記処理回路と、
動作時に、前記生成されたユーザ機器パケット複製ステータスを前記ハンドオーバ先基地局に送信する送信機と、
を備え、
オプションとして、前記処理回路が、前記ユーザ機器パケット複製ステータスを生成するときに、前記ハンドオーバ先基地局への無線リンクを対象に前記ユーザ機器によって実行された測定の結果に基づいて、アップリンク無線ベアラごとにアップリンクパケット複製の前記ステータスを決定し、オプションとして、前記ハンドオーバ先基地局への前記無線リンクを対象とする前記測定の結果が、前記ハンドオーバ元基地局への無線リンクを対象に前記ユーザ機器によって実行された測定結果と比較される、
ユーザ機器。
【請求項１１】
アップリンクパケット複製の前記ステータスに関する情報が、アップリンク無線ベアラあたり１個のビットを含むビットマップの形式であり、
オプションとして、確立されている無線ベアラそれぞれのステータスが報告され、オプションとして、前記確立されている無線ベアラのサブセットのステータスが報告され、
オプションとして、アップリンクパケット複製の前記ステータスが、アップリンク無線ベアラごとに有効にされる、または無効にされており、
オプションとして、アップリンク無線ベアラが、シグナリングアップリンク無線ベアラまたはデータアップリンク無線ベアラであり、
オプションとして、前記ビットマップが、１つまたは複数のオクテットの固定サイズを有し、
オプションとして、前記ユーザ機器パケット複製ステータスが、媒体アクセス制御（ＭＡＣ）制御要素として、またはパケットデータコンバージェンスプロトコル（ＰＤＣＰ）の制御パケットデータユニット（ＰＤＵ）として、送信される、
請求項１０に記載のユーザ機器。
【請求項１２】
前記ユーザ機器パケット複製ステータスが、前記ハンドオーバ先基地局に対して前記ユーザ機器によって実行されるランダムアクセスチャネル（ＲＡＣＨ）手順の一部として、前記ハンドオーバ先基地局に送信され、
オプションとして、前記ＲＡＣＨ手順が４つのステップからなり、前記ユーザ機器パケット複製ステータスが、前記ＲＡＣＨ手順の任意のシグナリングメッセージと一緒に送信され、
オプションとして、前記ＲＡＣＨ手順が２つのステップからなり、前記ユーザ機器パケット複製ステータスが、前記ＲＡＣＨ手順のＲＡＣＨプリアンブルおよびハンドオーバ完了メッセージと一緒に送信される、
請求項１０または請求項１１に記載のユーザ機器。
【請求項１３】
ハンドオーバ元基地局を動作させる方法であって、前記ハンドオーバ元基地局によって実行される以下のステップ、すなわち、
ユーザ機器パケット複製ステータスを生成するステップであって、前記ユーザ機器パケット複製ステータスが、前記ハンドオーバ元基地局および少なくとも１基のさらなる基地局を対象にユーザ機器によって実行されているアップリンクパケット複製のステータスに関する情報を含み、アップリンクパケット複製の前記ステータスに関する前記情報が、アップリンク無線ベアラごとであり、前記ユーザ機器と前記ハンドオーバ元基地局との間に１つまたは複数のアップリンク無線ベアラが確立されている、ステップと、
前記ユーザ機器パケット複製ステータスを、前記ユーザ機器に対して実行される前記ハンドオーバ元基地局からのハンドオーバのターゲットであるハンドオーバ先基地局に送信するステップと、
を含む、方法。
【請求項１４】
ハンドオーバ先基地局を動作させる方法であって、前記ハンドオーバ先基地局によって実行される以下のステップ、すなわち、
ユーザ機器パケット複製ステータスを受信するステップであって、前記ユーザ機器パケット複製ステータスが、ハンドオーバ元基地局および少なくとも１基のさらなる基地局を対象にユーザ機器によって実行されているアップリンクパケット複製のステータスに関する情報を含み、前記ハンドオーバ先基地局が、前記ユーザ機器に対して実行される前記ハンドオーバ元基地局からのハンドオーバのターゲットであり、アップリンクパケット複製の前記ステータスに関する前記情報が、アップリンク無線ベアラごとであり、前記ユーザ機器と前記ハンドオーバ元基地局との間に１つまたは複数のアップリンク無線ベアラが確立されている、ステップと、
前記受信されたユーザ機器パケット複製ステータスを処理して、前記ハンドオーバの後に前記ユーザ機器と前記ハンドオーバ先基地局との間に確立されるアップリンク無線ベアラのパケット複製を設定するステップと、
を含む、方法。
【請求項１５】
ユーザ機器を動作させる方法であって、前記ユーザ機器によって実行される以下のステップ、すなわち、
ユーザ機器パケット複製ステータスを生成するステップであって、前記ユーザ機器パケット複製ステータスが、ハンドオーバ先基地局および少なくとも１基のさらなる基地局を対象に前記ユーザ機器によって実行されるアップリンクパケット複製のステータスに関する情報、を含み、前記ハンドオーバ先基地局が、前記ユーザ機器に対して実行されるハンドオーバ元基地局からのハンドオーバのターゲットであり、アップリンクパケット複製の前記ステータスに関する前記情報が、アップリンク無線ベアラごとであり、前記ハンドオーバの後に前記ユーザ機器と前記ハンドオーバ先基地局との間に１つまたは複数のアップリンク無線ベアラが確立される、ステップと、
前記生成されたユーザ機器パケット複製ステータスを前記ハンドオーバ先基地局に送信するステップと、
を含む、方法。
【手続補正２】
【補正対象書類名】明細書
【補正対象項目名】００１９
【補正方法】変更
【補正の内容】
【００１９】
【図１】３ＧＰＰ  ＮＲシステムの例示的なアーキテクチャを示している。
【図２】ＬＴＥ  ｅＮＢ、ｇＮＢ、およびＵＥの例示的なユーザプレーンアーキテクチャおよび制御プレーンアーキテクチャを示している。
【図３】ＯＳＩモデルの層（レイヤ）間でのＰＤＵおよびＳＤＵの交換を例示的に示している。
【図４】ユーザプレーンデータを扱うＰＤＣＰエンティティによって使用される例示的なＰＤＣＰ制御ＰＤＵを示している。
【図５】ＬＴＥ−ＮＲマルチコネクティビティに関連して現在検討されている例示的かつ一般的なユーザプレーンアーキテクチャを示しており、ＬＴＥ  ｅＮＢを介してのＭＣＧ（マスタセルグループ：Master Cell Group）ベアラを有する。
【図６Ａ】一般的なユーザプレーンアーキテクチャを示しており、ＰＤＣＰエンティティがＬＴＥ（マスタ）ｅＮＢ側にある。
【図６Ｂ】一般的なユーザプレーンアーキテクチャを示しており、ＰＤＣＰエンティティがセカンダリ側にある。
【図７】特定のＵＥを対象とするデュアルコネクティビティ（ＤＣ）に関与するｅＮＢの制御プレーンの接続性を示しており、この場合、Ｓ１−ＭＭＥがＭｅＮＢにおいて終端しており、ＭｅＮＢとＳｅＮＢがＸ２−Ｃを介して相互接続されている。
【図８】特定のＵＥを対象とするデュアルコネクティビティ（ＤＣ）に関与するｅＮＢのユーザプレーンの接続性の複数の異なるオプションを示している。
【図９】ＬＴＥの競合ベースのランダムアクセス手順を示している。
【図１０】３ＧＰＰ  ＬＴＥの競合のないランダムアクセス手順を示している。
【図１１】ＳｅＮＢの変更なしでのＭｅＮＢ間ハンドオーバのシグナリングフローの例を示している。
【図１２】ＵＥ、ハンドオーバ元マスタｇＮＢ、およびハンドオーバ先マスタｇＮＢの間でメッセージが交換されるシグナリング図を示している。
【図１３Ａ】ＵＥパケット複製ステータスの内容を示している。
【図１３Ｂ】Ｘ２インタフェースを介してのＵＥパケット複製ステータスの内容のシグナリングの代替実装形態を示している。
【図１４】改良された実装形態によるシグナリング図を示しており、この場合、ＵＥパケット複製ステータスは、ハンドオーバ要求メッセージ内でハンドオーバ元ＭｇＮＢによって送信されてハンドオーバ先ＭｇＮＢによって受信される。
【図１５】改良された実装形態によるシグナリング図を示しており、この場合、ハンドオーバ先ＭｇＮＢが、受信されたＵＥパケット複製ステータスを修正する。
【図１６】図１５のシグナリング図に関連する流れ図を示している。
【図１７Ａ】ＭＡＣ  ＣＥフォーマットにおけるＵＥパケット複製ステータスの内容を示している。
【図１７Ｂ】ＭＡＣ  ＣＥフォーマットにおけるＵＥパケット複製ステータスの内容を示している。
【図１８Ａ】ＰＤＣＰ制御ＰＤＵフォーマットにおけるＵＥパケット複製ステータスの内容を示している。
【図１８Ｂ】ＰＤＣＰ制御ＰＤＵフォーマットにおけるＵＥパケット複製ステータスの内容を示している。
【図１９】代替実装形態によるシグナリング図を示しており、この場合、ＵＥパケット複製ステータスが、４ステップのＲＡＣＨ手順を使用してハンドオーバ手順の一部としてＵＥによって送信されてハンドオーバ先ＭｇＮＢによって受信される。
【図２０】代替実装形態によるシグナリング図を示しており、この場合、ＵＥパケット複製ステータスが、２ステップのＲＡＣＨ手順を使用してハンドオーバ手順の一部としてＵＥによって送信されてハンドオーバ先ＭｇＮＢによって受信される。
【図２１】ＵＥパケット複製ステータスメッセージが直接ＵＥからハンドオーバ先ＭｇＮＢに送信される場合の流れ図を示している。
【手続補正３】
【補正対象書類名】明細書
【補正対象項目名】０１１５
【補正方法】変更
【補正の内容】
【０１１５】
したがってハンドオーバ先ＭｇＮＢは、ＤＲＢ＃０およびＤＲＢ＃１について図１５に例示的に示したように、これら２つの無線ベアラに対しては、ターゲットセルではアップリンク複製が必要ないことを決定することができる。したがって、ＤＲＢ＃０およびＤＲＢ＃１に対するステータスが無効にされ、すなわちそれぞれのフラグが、最初に受信されたＵＥパケット複製ステータスの「１」から「０」に更新される。例えば、ハンドオーバ先ＭｇＮＢは、ターゲットセルの品質がサービスｅＭＢＢに対しては十分に良好であると判定することができ、したがってハンドオーバ先ＭｇＮＢは、それぞれの無線ベアラに対するアップリンク複製を無効にする。さらなる例示的な実装形態によれば、例えば、それぞれの無線ベアラのターゲットセルの品質が、対応するサービングセルの品質と比較して十分に良好ではない場合、ハンドオーバ先ＭｇＮＢは、いくつかの無線ベアラに対するアップリンク複製を有効にする（すなわちアクティブに設定する）ようにさらに決定することができる。
【手続補正４】
【補正対象書類名】明細書
【補正対象項目名】０１３６
【補正方法】変更
【補正の内容】
【０１３６】
図１７Ｂの下段にさらに示したように、例示的に図解したＭＡＣ  ＣＥフォーマットにおいて送信されるＵＥパケット複製ステータスの内容は、ＳＲＢの複製のみに関連する情報を含み、すなわちビットフィールドは、１つのビットマップ内のＳＲＢの複製のステータスのみに関する情報とＬＣＩＤフィールドとを送信するために専用に使用される。この例において、ＬＣＩＤフィールドは、データ無線ベアラに対するＵＥパケット複製ステータスを含むものとしてＭＡＣ  ＣＥを識別する対応するＬＣＩＤ値を含む。この例示的な図解においては、ＳＲＢ＃０〜ＳＲＢ＃２をビットマップにおいて示すことができ、この場合、ＳＲＢ＃０〜ＳＲＢ＃２に対するアップリンクパケット複製が有効にされている。この例示的な図解によれば、残りのビットフィールドは無線ベアラに割り当てられずに予約されている（図では「Ｒ」によって示してある）。
【手続補正５】
【補正対象書類名】明細書
【補正対象項目名】０１４２
【補正方法】変更
【補正の内容】
【０１４２】
この代替実装形態によれば、ＰＤＣＰ制御ＰＤＵは、ビットの１オクテットから構成することができる。１つのオプションとして、最初のビットフィールド（１ビットのビットフィールド長を有する）がＤ／Ｃフラグに関連し、それに続く２番目〜４番目のビットが、特定の「ＰＤＵタイプ」に関連する。したがって、ＰＤＵタイプに使用されるビットフィールドの数は可変である。例えば、ビット値１１０または１１１は、そのＰＤＣＰ制御ＰＤＵが、ＤＲＢのみの有効にされた、または無効にされたＵＬパケット複製ステータスを送信するための特定のＰＤＵタイプに関連する（図１８Ｂの下段に反映されている）ことを示すことができる。この例に関してさらに、ＰＤＣＰ制御ＰＤＵの最後の４ビットを、ＤＲＢの有効ステータス／無効ステータスを示すために使用することができる。
【手続補正６】
【補正対象書類名】明細書
【補正対象項目名】０１６６
【補正方法】変更
【補正の内容】
【０１６６】
第１の態様から第７の態様のいずれか一態様に加えて提供される第８の態様によれば、本ハンドオーバ元基地局は受信機を備えており、この受信機は、動作時に、更新されたユーザ機器パケット複製ステータスをハンドオーバ先基地局から受信し、ハンドオーバ先基地局が、更新されたユーザ機器パケット複製ステータスを生成するために、少なくとも１つのアップリンク無線ベアラについて、受信されたユーザ機器パケット複製ステータスを修正しており、オプションとして、更新されたユーザ機器パケット複製ステータスが、ハンドオーバ要求ＡＣＫメッセージの中で受信される。送信機は、動作時に、更新されたユーザ機器パケット複製ステータスをユーザ機器に送信し、オプションとして、更新されたユーザ機器パケット複製ステータスが、ハンドオーバコマンドメッセージの中でユーザ機器に送信される。